(57)【要約】【課題】携帯性に優れ、容易に持ち運ぶことができると共に、幕を張った時に幕に皺ができにくいスクリーンを提供する。【解決手段】  撮影・投射面を構成する幕体を、上記幕体の裏側に、撮影・投射面の対角線上に取り付けた２本の張設フレームと、上記２本の張設フレームの両下端部間に撓ませて取り付けられることで、上記幕体及び張設フレームを外側に引っ張るように構成された底部フレームと、上記張設フレームの交差部分と、上記底部フレームとを結合することにより、上記底部フレームと幕体とを支える支柱フレームとによって、張設・保持する。【選択図】図１
0003119961.tif 000002
【実用新案登録請求の範囲】
【請求項１】
撮影・投射面を構成する幕体と、この幕体を保持するフレームとを有し、
上記フレームは、上記幕体の裏側に、撮影・投射面の対角線上に取り付けた２本の張設フレームと、
上記２本の張設フレームの両下端部間に撓ませて取り付けられることで、上記幕体及び張設フレームを外側に引っ張るように構成された底部フレームと、
上記張設フレームの交差部分と、上記底部フレームとを結合することにより、上記底部フレームと幕体とを支える支柱フレームとから構成されている、
ことを特徴とするスクリーン。
【請求項２】
上記張設フレーム、底部フレーム、支柱フレームは、それぞれ分離可能に取り付けられている、
請求項１記載のスクリーン。
【請求項３】
上記張設フレーム、底部フレーム、支柱フレームは、それぞれ複数のフレーム部材を結合させることにより構成されている、
請求項１又は２記載のスクリーン。
【請求項４】
上記フレームは中空パイプにより構成され、
上記フレーム内には、隣り合うフレーム部材が互いに引き付け合うように付勢されるゴム紐が設けられている、
請求項３記載のスクリーン。
【請求項５】
上記支柱フレームの上端部には張設フレームが一体に取り付けられるとともに、上記支柱フレームの下端部には底部フレームが一体に取り付けられることにより、上記張設フレーム、底部フレーム及び支柱フレームが一体に形成されている、
請求項１〜４のいずれかに記載のスクリーン。
【請求項６】
上記支柱フレームの上端部には、上記張設フレームの交叉部分を保持するための挿通孔を有する連結金具が設けられており、
上記挿通孔には、フレームを組み立てた時には、上記張設フレーム部材の結合部が嵌合され、フレームを収納する際には当該張設フレーム部材を結合するゴム紐がこの挿通孔に挿通された状態で上記張設フレーム部材を上記挿通孔から抜き取られるように構成されている、
請求項４又は５に記載のスクリーン。
【請求項７】
上記支柱フレームの下端部には、上記底部フレームと連結するための連結金具が設けられており、
上記連結金具の挿通孔には、上記底部フレームを組み立てた時に、上記底部フレーム部材の結合部が嵌合され、上記フレームを収納する際には当該底部フレーム部材を結合するゴム紐がこの挿通孔に挿通された状態で底部フレーム部材を上記挿通孔から抜き取られるように構成されている、
請求項４〜６のいずれかに記載のスクリーン。
【請求項８】
上記幕体は、上記フレームの下端部から撮影方向に延びて敷設され、撮影対象を載せる床面部分を有する、
請求項１〜７のいずれかに記載のスクリーン。  
【考案の詳細な説明】
【技術分野】
【０００１】
本考案は、簡易に組み立てることができると共に、運搬容易な撮影用スクリーンに関するものであって、特に、映像や写真など撮影用として、また映画などの映像の投影用として好適なものに関する。
【背景技術】
【０００２】
従来、写真撮影においては、撮影対象を際立たせて綺麗に見せるなどのため、被写体の背景にスクリーンを用いている。また、映画や、テレビのニュースや天気予報などにおいては、被写体の背景などに映像を合成させるブルーバックがよく用いられている。ブルーバックは、コンピュータによる画像処理技術であり、撮影した画像から特定の色を取り除き、その切り抜いた部分に他の画像を合成させる技術である。このうち、キーイングと呼ばれる、特定の色を取り除く作業においては、人間の肌色と補色関係にある青色を特定の色として使うと、肌色への影響が最も少なくなるため、青色のスクリーン、即ち、ブルーバックが用いられることが多い。また、被写体に青色成分が含まれる場合などには、緑色のスクリーンを用いた、いわゆるグリーンバックなどもよく用いられている。
ところで、このキーイングと呼ばれる作業においては、撮影した画像から切り抜く特定の色を他の色と判別するために、この特定の色が濃淡なく均一に表されると共に、被写体の輪郭などが明瞭であることが求められるが、スクリーンの皺や歪みにより影が生じると、それが困難となる。
また、写真撮影やブルーバックに用いられるスクリーンは、一般には大きく、高価であるため、専門の写真店や映像作成スタジオ等で使用されていた。
【０００３】
ところで、このような用途に用いられるスクリーンに類似するものとして、プロジェクタ等による表示像を拡大投影するスクリーンであって、回動自在にスプリングロールを取り付ける一方、スプリングロールに巻回されたスクリーンの一端をトップバーに枢着し、スプリングロールに取り付けられたスプリングの弾性力及び重力に対し、伸縮支持手段に係止された高さ保持手段による下降に対する反発力又は上方への付勢力を適宜設定することにより、スクリーンを所望の高さに設定できるようにしたものが提案されている（特許文献１参照）。
【０００４】
【特許文献１】実用新案登録第３０９３１２７号公報
【０００５】
しかしながら、専門の写真店や、映像作成スタジオ等で用いられるスクリーンは、骨組みが固定されているため、これを折り畳むことができないし、その重量も大きく、重たいものが一般的で、個人のクリエータ等が携帯して持ち運ぶことができず、また価格も高いという問題があった。
【０００６】
また、文献１記載のスクリーンでは、スクリーンを張設する力は、スクリーンの上下方向にしか働かないため、横皺を防ぐことはできるが、縦皺を防ぐには十分ではなかった。
この点、写真撮影、とりわけ、合成映像を作成するブルーバックにおいて用いられるスクリーンは、皺や歪みなどによって影が生じたりすると、写真に影が写り込んで映像の合成処理を行う際のキーイング作業の障害となるという問題があった。
また、文献１記載のスクリーンでは、スプリングロール、トップバー、パンタグラフ式伸縮支持手段やガススプリングからなる高さ保持手段など、当該スクリーンを構成する部品点数が多く、持ち運びには適していないという問題があった。更に、スクリーンの幕体が、スプリングロール等の部品と一体に構成されているため、ブルーバック用に使用する場合（ブルーの幕）と、映像の投影用に使用する場合（ホワイトの幕）等でスクリーンを取り替えることができないという問題があった。
従って、例えば、撮影のロケ先まで容易に持って行くことができないし、撮影状況に応じて幕体を代えることはできず、写真撮影や、ブルーバックのスクリーンに転用するには不適なものであった。
【考案の開示】
【考案が解決しようとする課題】
【０００７】
本考案は、上記課題を解決するためになされたものであって、携帯性に優れ、容易に持ち運ぶことができると共に、幕を張った時に幕に皺ができにくいスクリーンを提供することを目的とする。
【課題を解決するための手段】
【０００８】
上記課題を解決するため、本考案に係るスクリーンは、撮影・投射面を構成する幕体と、この幕体を保持するフレームとを有し、上記フレームは、上記幕体の裏側に、撮影・投射面の対角線上に取り付けた２本の張設フレームと、上記２本の張設フレームの両下端部間に撓ませて取り付けられることで、上記幕体及び張設フレームを外側に引っ張るように構成された底部フレームと、上記張設フレームの交差部分と、上記底部フレームとを結合することにより、上記底部フレームと幕体とを支える支柱フレームとから構成されていることを特徴とする。
このように、幕体の裏側に、２本の張設フレームが、撮影・投射面の対角線状に取り付けられ、また、底部フレームが上記２本の張設フレームの両下端部間に撓ませて取り付けられる構成となっていることにより、幕体は、中央部から側端部へ均等に張設される。その結果、幕体には皺が生じないし、縦、横にフレームを設ける必要がなく、その分、部品点数を削減できる。
また、支柱フレームが、上記張設フレームの交差部分と、上記底部フレームとを結合することで、幕体は安定した直立姿勢をとることができ、また、上記二本の張設フレームが上下、又は左右に振れずに安定して、幕体が不安定に動いて歪むのを防ぐことができる。
【０００９】
上記張設フレーム、底部フレーム、支柱フレームは、それぞれ分離可能に取り付けられていてもよい。
このように、上記各フレームが分離可能に構成されていることにより、運搬、収納時において、上記各フレームを分離させて、コンパクトな状態とすることができる。
【００１０】
上記張設フレーム、底部フレーム、支柱フレームは、それぞれ複数のフレーム部材を結合させることにより構成されていてもよい。
これにより、一本一本が長いフレームであっても、短くすることができるので、運搬、収納時において、よりコンパクトな状態とすることができる。
【００１１】
上記フレームは中空パイプにより構成され、上記フレーム内には、隣り合うフレーム部材が互いに引き付け合うように付勢されるゴム紐が設けられていてもよい。
このように、中空パイプよりなる上記フレームが、これを両端に引っ張ることで分節可能な状態となり、この状態で露出した中空内のゴム紐によって曲折可能に構成されていることにより、分節状態にあるフレームの組立工程が容易に理解できるし、分節されたフレーム同士が一体性を有するので部品をなくす心配もない。
【００１２】
上記支柱フレームの上端部には張設フレームが一体に取り付けられるとともに、上記支柱フレームの下端部には底部フレームが一体に取り付けられることにより、上記張設フレーム、底部フレーム及び支柱フレームが一体に形成されていてもよい。
これにより、全てのフレームが一体となっているので、運搬、収納の際に部品をなくす心配がない。また、どのフレームに対して、どのフレームを取り付けるかが分かりやすい。
【００１３】
上記支柱フレームの上端部には、上記張設フレームの交叉部分を保持するための挿通孔を有する連結金具が設けられており、上記挿通孔には、フレームを組み立てた時には、上記張設フレーム部材の結合部が嵌合され、フレームを収納する際には当該張設フレーム部材を結合するゴム紐がこの挿通孔に挿通された状態で張設フレーム部材を上記挿通孔から抜き取られるように構成されていてもよい。
これにより、張設フレームと支柱フレームを、互いに対して平行な向きのフレームの束にすることができ、収納、運搬時においてコンパクトで便利である。
【００１４】
上記支柱フレームの下端部には、上記底部フレームと連結するための連結金具が設けられており、上記連結金具の挿通孔には、上記底部フレームを組み立てた時に、上記底部フレーム部材の結合部が嵌合され、上記フレームを収納する際には当該底部フレーム部材を結合するゴム紐がこの挿通孔に挿通された状態で底部フレーム部材を上記挿通孔から抜き取られるように構成されていてもよい。
これにより、底部フレームを収納、運搬する際に、連結金具と底部フレームとが、互いに対して自在に動かすことができる。
【００１５】
上記幕体は、上記フレームの下端部から撮影方向に延びて敷設され、撮影対象を載せる床面部分を有してもよい。
これにより、例えば、当該床面部分の幕体上に、撮影素材が置かれた場合にも、その置かれている部分の床面の背景が、撮影上邪魔になることはない。
【考案の効果】
【００１６】
本考案によれば、フレームによって幕体を均等に張設することができるため、幕体の皺や歪みを防ぐことができる。また、部品点数が少ないために軽く、容易に持ち運んだり、収納したりすることができるうえ、製造コストを削減でき、安価な製品を提供することができる。更に、フレームと幕体が分離可能に構成されているため、幕体の取替を容易に行うことができる。
【考案を実施するための最良の形態】
【００１７】
以下、本考案の実施の形態について、図を参照しながら説明する。図１は、本考案の第一の実施例に係るスクリーンの使用時の状態を示した斜視図である。スクリーン１は、幕体２、フレーム３よりなり、フレーム３は、フレーム３１、３２、３３、フレーム３４より構成され、幕体２は、フレーム３により張設されると共に、直立するよう支持されている。
【００１８】
幕体２は、矩形状に形成されており、フレーム３１、３２、３４により張設され、フレーム３３、３４により直立している。
この幕体２は床から略垂直に立ち上がって張設される上面部２ａと、この上面部２ａの下端部から前方（撮影方向）に向かって床上に敷かれた下面部２ｂから構成されている。本実施例において幕体２全体は、縦３００ｃｍ×横１４８ｃｍの大きさを有しており、そのうち上面部２ａは２００ｃｍ×１４８ｃｍ、下面部２ｂは縦１００ｃｍ×横１４８ｃｍとなっている。
【００１９】
幕体２の上面部２ａの４隅には、上面部２ａをフレーム３に取り付けるため取付金具３５がリング２２を介して取り付けられている。取付金具３５は一端部にリングが形成され、他端部はこのリングから延び出した突部を構成している。そして、幕体２の上面部２ａの４隅に取り付けられたリング２２に、取付金具３５のリングが取り付けられることで、取付金具３５はリング２２に沿って自由に移動し、回動できるようになっている。
この取付金具３５は、上面部２ａの上端部２隅には１つずつ、下端部２隅には２つずつ取り付けられており、上端部には、フレーム３１、３２の端部が係合し、下端部には、フレーム３１、３２、３４の端部が係合する。
取付金具３５と、フレーム３１、３２、３４との結合は、フレーム３１を例にとると、図３（Ａ）に示すように、取付金具３５の突部をフレーム３１の中空孔部に挿入することで、図３（Ｂ）に示すように、フレーム３１が幕体２に取り付ける。フレーム３２、３４も同様に、取付金具３５の突部を、フレーム３２、３４の中空孔部に挿入して、幕体２に取り付けられる。
【００２０】
また、幕体２の下面部２ｂには、屋外において使用する場合に風により飛ばされたり、なびいたりしないようにするため、地面にペグを打ち込むためのペグ用リング２１が設けられている。
なお、幕体２の大きさは、上述の例に限らず、所望の大きさの幕体２を使うことが可能であり、この場合には幕体２の大きさにあわせてフレーム３を大きくすればよい。また、この例では、上面部２ａに対して下面部２ｂが略直交して配置されているが、上面部２ａと下面部２ｂとの境は角とならないように、上面部２ａの下端部が床に着く手前の部分から緩やかに弧を描いて下面部２ｂが床に敷かれるようにしてもよい。これにより、ブルーバックにより撮影した際に、上面部２ａと下面部２ｂとの直交部分により影ができることを防止できる。
また、幕体２は、例えば、写真撮影に使うために白地のものを使ったり、ブルーバックに使うために青地又は緑地にするなどでき、使用する色は任意である。
また、幕体２の材質は、ポリエステル織布にビニールコーティングしたものなど、写真撮影、ブルーバック等、それぞれに適したものを用いることができる。
【００２１】
フレーム３は、幕体２を立設保持するものである。このフレーム３は可撓性を有するアルミなどにより構成され、幕体２の上面部２ａを張設するための中空状のフレーム３１、３２と、このフレーム３１、３２を支えて立たせるためのフレーム３３と、フレーム３３を介してフレーム３１、３２を支持するためのフレーム３４から構成されている。
【００２２】
図１及び図２（Ｃ）に示すように、フレーム３１、３２は、幕体２の上面部２ａの対角線に沿って交叉するように設けられている。したがって、フレーム３１、３２は、幕体２の上面部２ａの中心（重心）で交叉するようになっている。
【００２３】
また、フレーム３１、３２は、幕体２の上面部２ａの対角線よりも長い所定の長さを有し、フレーム３１、３２が上面部２ａに取り付けられた状態で、これらが弓状に撓むことにより、上面部２ａに対して対角線方向に張力を与えるようになっている。これにより、上面部２ａには、その対角線上の中心から外側に向けて四隅の方向に引っ張られた状態となり、図２（Ｂ）に示すように、歪みや皺が生じない。
【００２４】
また、図１及び図２（Ａ）に示すように、フレーム３４は、上面部２ａの短手方向の長さよりも長く形成されており、フレーム３４が上面部２ａに取り付けられた状態では、フレーム３４が上面部２ａの短手方向の長さよりも長い分、略半円状に撓んで取り付けられており、この撓みにより、スクリーン１を地面に対して立設する面を形成し、また、幕体２に外側へ開く方向に張力が与えて、縦皺を防ぐことができる。
【００２５】
また、フレーム３１、３２の交点からフレーム３４の円弧の中心部に対して、フレーム３３が取り付けられている。フレーム３１、３２とフレーム３３との結合部分の拡大図を図４に示す。
図４に示すように、フレーム３３の一端部にはジョイント３６が取り付けられている。このジョイント３６には、二つの挿通孔が設けられており、当該挿通孔は、上面部２ａの対角線にあわせて直交するように形成され、これにより挿通孔に通されたフレーム３１、３２が直交して保持される。
また、このジョイント３６には、上下方向に空いた挿通孔が設けられており、この挿通孔にフレーム３３の上端部が一体に取り付けられている。この取付部分は、図７に示すようにフレーム３３の上端部の径が小さく形成された小径部がジョイント３６の孔に挿通し、その上端部がかしめられること等によりフレーム３３がジョイント３６の孔から抜けないようになっている。
【００２６】
また、フレーム３３の下端部は、フレーム３４の中点で結合しており、このフレーム３４によりフレーム３１、３２が支えられるようになっている。この下端部の結合部の拡大図を図５に示す。図５に示すように、フレーム３４の中点にはジョイント３７が取り付けられている。図５（Ａ）に示すように、このジョイント３７は、フレーム３４に、フレーム３４がフレーム３３に対して直交する方向に突出した突部が設けられ、このジョイント３７の突部に中空フレーム３３の下端部の孔が係合することにより、図５（Ｂ）に示すように、フレーム３３とフレーム３４が結合されるようになっている。また、ジョイント３７には、突部と直交する方向に挿通孔が形成されており、この挿通孔にフレーム３４が挿通されるようになっている。このジョイント３７の挿通孔は、フレーム３４の径よりも僅かに大きく形成されており、フレーム３７が形成する面（半円状の面）に対してジョイント３７の突部の角度を自由に決めることができ、組み立てやすいようになっている。
そして、これらの、フレーム３３及び、半円状のフレーム３４によって支えられることにより、フレーム３１、３２が床に対して立つことがきるようになっている。
【００２７】
これらフレーム３１〜３４は、それぞれ複数のフレーム部材を継ぎ合わせて組み立てることにより作られている。このフレームの構造をフレーム３１を例にして説明する。図６に示すように、フレーム３１はフレーム部材３１ａを継ぎ合わせ、組み立てることにより構成されている。各フレーム部材３１ａは、中空パイプ状に形成されているとともに、その一端部の径が小さくなった小径部を構成しており、この小径部が隣り合う他のフレーム部材３１ａの中空孔に嵌合することにより、連結されたフレーム３１が形成される。また、このフレーム３１の中空部には、それぞれのフレーム３１ａが引き付け合うように付勢するためのゴム紐３８が取り付けられている。このゴム紐３８はその両端がフレーム３１の両端部に固定されており、フレーム部材３１ａを分離しても、これらがバラバラにならないように、またこのゴム紐３８の張力によりフレーム部材３１ａを結合する方向に付勢する力が働くこととなる。
なお、この例ではフレーム３１について説明したが、他のフレーム３２〜３４についても同様な構成となっている。
【００２８】
上述のスクリーン１について、スクリーン１を使用時の状態から、持ち運び、又は収納時の状態にするときの取り扱い方法について説明する。なお、本実施例におけるスクリーンの１の使用時の状態は図１と同じである。
まず、図１に示すように係合状態にある幕体２とフレーム３を分離させるため、図３に示すように、係合されている上面部２ａの四隅の取付金具３５をフレーム３１、３２、３４の中空孔から引き抜き、これをフレーム３１、３２、３４から外す。これにより、幕体２はフレーム３から外されるので、これを折り畳んで収納することができる。
【００２９】
そして、図４に示す状態にあるフレーム３１、３２の両端を、図７に示すように、それぞれが離れる向きに引っ張り、フレーム部材３１ａ、３２ａに分離させて、内部のゴム紐３８を露出させ、ゴム紐３８部分でフレーム３１、３２を折り曲げる。同様に、フレーム３３、３４も、その両端をそれぞれが離れる向きに引っ張り、ゴム紐３８を露出させて折り曲げる。
また、図７に示すように、フレーム３１、３２を分離させて、ジョイント３６の部分でゴム紐を露出させて折り曲げれば、フレーム３１、３２、３３が、各々に対して平行な束とすることができる。同様に、図８に示すように、フレーム３４もジョイント３７の部分で、フレーム部材３４ａに分離してゴム紐を露出させて折り曲げれば、ジョイント３７の突部とフレーム３４とを平行にさせるなど、お互いが邪魔にならないようにすることができる。
【００３０】
このようにして、折り曲げられたフレーム３１〜３４は、短いフレームの束とすることができ、容易に持ち運び、収納することができる。
また、組み立てるときは、これと逆の工程を辿る。即ち、分離されたフレーム３１〜３４を直列状態に連結し、上面部２ａの四隅に設けられた取付金具３５と、フレーム３１、３２、３４を係合させる。
このような構成によれば、フレーム３を折り畳んでかさばらないようにすることができ、運搬、収納時において便利である。
【００３１】
本実施例に係るスクリーン１の以上のような構成により、上面部２ａの四隅の取付金具３５の突部を、フレーム３１、３２、３４の中空孔部に嵌合させて結合させるだけで、簡単に幕体２を中央部から側端部へ均等に張設することができる。
また、４つのフレーム３１〜３４のみよりなるフレーム３だけで幕体２を張設すると共に、立設保持しているので、部品点数が少なくて済む。
更に、フレーム３と幕体２が、幕体２に設けられた取付金具３５により分離可能に構成されているため、幕体の取替が容易に行える。
【００３２】
なお、本実施例におけるスクリーン１を屋外において使用する際には、下面部２ｂに設けられた、三箇所のペグ用リング２１にペグを打ち込み、また、上面部２ａに設けられたリング２２のうち、下端の二箇所のリング２２にペグを打ち込むことで、スクリーン１は地面に対して安定して直立し、風にも耐えられる。また、安定性をより高めたい場合には、フレーム３４のジョイント３７の位置に環状のゴム紐を巻きつけ、この環内にペグを打ち込む構成とすることもできる。
【００３３】
次に、より容易に持ち運び、収納ができるように構成された第二の実施例に係るスクリーン１を説明する。
上述の第１の実施形態では、フレーム３３がフレーム３４に対して着脱可能に構成され、使用に際してこれを取り付けて組み立てる例について説明したが、これに代えて、フレーム３３と、フレーム３４とを取付金具３７で一体にした例である、
このように一体に構成しても、取付金具３７の挿通孔に回動自在に挿通されたフレーム３４は、フレーム３３に対しても回動自在に構成されるから、第一の実施例のような、組立、収納の際の利便性を失わない。
これにより、フレーム３１、フレーム３２、フレーム３３、３４をゴム紐を介して全て一体に連結することができるので、フレームの一部をなくしてしまったりすることが無いし、どのフレームに対して、どのフレームを取り付けるかが分かりやすいので、組み立ても容易となる。
【図面の簡単な説明】
【００３４】
【図１】本考案の実施の形態に係るスクリーンを示す斜視図である。
【図２】本実施の形態に係るスクリーンの平面図（Ａ）、前面図（Ｂ）、背面図（Ｃ）、側面図（Ｄ）である。
【図３】本実施の形態に係るスクリーンの幕体とフレームの結合について、結合前（Ａ）、結合後（Ｂ）を示す図である。
【図４】本実施の形態に係る第一のジョイントの状態を示す図である。
【図５】本実施の形態に係る第二のジョイントの状態について、結合前（Ａ）、結合後（Ｂ）を示す図である。
【図６】本実施の形態に係る、分離可能に構成されたフレームの分離状態を示した図である。
【図７】本実施の形態に係る、分離可能に構成されたフレームと、ジョイントの分離状態を示した図である。
【図８】本実施の形態に係る、分離可能に構成されたフレームと、ジョイントの分離状態を示した図である。
【符号の説明】
【００３５】
１・・・スクリーン、２・・・幕体、２ａ・・・上面部、２ｂ・・・下面部、３・・・フレーム、２１・・・ペグ用リング、２２・・・リング、３１・・・フレーム、３１ａ・・・フレーム部材、３２・・・フレーム、３２ａ・・・フレーム部材、３３・・・フレーム、３４・・・フレーム、３４ａ・・・フレーム部材、３５・・・取付金具、３６・・・ジョイント、３７・・・ジョイント、３８・・・ゴム紐
【図１】
0003119961.tif 000003
【図２】
0003119961.tif 000004
【図３】
0003119961.tif 000005
【図４】
0003119961.tif 000006
【図５】
0003119961.tif 000007
【図６】
0003119961.tif 000008
【図７】
0003119961.tif 000009
【図８】
0003119961.tif 000010